(57)【要約】      （修正有）【課題】内視鏡の観察位置の把握の正確性を向上させる。【解決手段】回転軸１１と回転軸に固定された羽根車１２とを含む回転体１３と、回転体の周囲を覆う揚水管１４と、を備え、揚水管の内面の少なくとも一部及び／または回転体の表面の少なくとも一部に、観察位置を識別するための加工が施されているポンプ１０。【選択図】図１
2018138762.tif 000002
【特許請求の範囲】
【請求項１】
回転軸と前記回転軸に固定された羽根車とを含む回転体と、
前記回転体の周囲を覆う揚水管と、
を備え、
前記揚水管の内面の少なくとも一部及び／または前記回転体の表面の少なくとも一部に、観察位置を識別するための加工が施されているポンプ。
【請求項２】
前記観察位置は、前記揚水管の長軸方向または周方向の位置である
請求項１に記載のポンプ。
【請求項３】
前記加工は、塗装、切り欠きの形成または突起の形成である
請求項１または２に記載のポンプ。
【請求項４】
前記加工が塗装であり、当該塗装の色あるいは模様、当該塗装によって描かれる図形の配置、当該塗装によって描かれる文字あるいは図形によって前記観察位置を識別できるように塗装が施されている
請求項３に記載のポンプ。
【請求項５】
前記加工が塗装であり、当該塗装の材料はエポキシ樹脂を含む
請求項３または４に記載のポンプ。
【請求項６】
揚水管の内面及び／または回転体の表面に、観察位置を識別するための加工が施されているポンプの観察方法であって、
内視鏡を前記ポンプの内部に挿入する工程と、
前記内視鏡で前記揚水管の内面及び／または回転体の表面を撮像する工程と、
撮像によって得られた画像から当該内視鏡の観察位置を特定する工程と、
を有する観察方法。
【発明の詳細な説明】
【技術分野】
【０００１】
本発明は、ポンプ及び観察方法に関する。
【背景技術】
【０００２】
ポンプ設備等の施設機械設備は、土木施設と異なり多数の機器・部材等から構成された集合体であることから、設備の機能の維持、ひいては設備の長寿命化を図るためには、日常管理における機器、部材等の適切な点検・整備が必要不可欠である。
【０００３】
近年、ポンプ内部の点検のために工業用内視鏡が活用される事例がある。ケーシングのハンドホールから工業用内視鏡を挿入することにより、これまで分解整備でしか確認できなかった箇所の目視確認が可能となっている。
【先行技術文献】
【非特許文献】
【０００４】
【非特許文献１】国土交通省総合政策局公共事業企画調整課、水管理・国土保全局河川環境課『河川ポンプ設備点検・整備・更新マニュアル（案）』、平成２７年３月
【発明の概要】
【発明が解決しようとする課題】
【０００５】
ところで、ケーシング内面は、通常は暗い色の防錆塗料で塗装（いわゆる接水部塗装）がされていた。したがって、内視鏡（例えば工業用内視鏡）を用いてポンプ内部を点検する際には、内視鏡に繋がるケーブル（導線）に例えば１ｍ毎に目印を予め付しておき、内視鏡を垂らしていくときに、ケーブルに付された目印からケーブルの繰り出し量を求めることにより、内視鏡が観察している位置を間接的に把握することが行われていた。
【０００６】
しかしながら、このような方法では、たとえばケーブルが水中で浮力を受けて撓んだりすると、内視鏡が観察している位置を正確に把握することができない。また、このような方法では、内視鏡の周方向の観察方向を把握することができない。このように、従来の方法では、内視鏡の観察位置を正確に把握できないという問題があった。
【０００７】
本発明は、上記問題に鑑みてなされたものであり、内視鏡の観察位置の把握の正確性を向上させることを可能とするポンプ及び観察方法を提供することを目的とする。
【課題を解決するための手段】
【０００８】
本発明の第１の態様に係るポンプは、回転軸と前記回転軸に固定された羽根車とを含む回転体と、前記回転体の周囲を覆う揚水管と、を備え、前記揚水管の内面の少なくとも一部及び／または前記回転体の表面の少なくとも一部に、観察位置を識別するための加工が施されている。
【０００９】
この構成によれば、観察位置を識別するための加工を内視鏡で観察することによって、内視鏡の観察位置を特定することができるので、内視鏡の観察位置の把握の正確性を向上させることができる。
【００１０】
本発明の第２の態様に係るポンプは、第１の態様に係るポンプであって、前記位置は、前記揚水管の長軸方向または周方向の位置であり、前記加工は、前記揚水管の長軸方向または周方向の位置に応じて異なっている。
【００１１】
この構成によれば、内視鏡によって揚水管の内面または回転体の表面を観察することによって、揚水管の長軸方向または周方向における内視鏡の観察方向を把握することができる。
【００１２】
本発明の第３の態様に係るポンプは、第１または２の態様に係るポンプであって、前記加工は、塗装、切り欠きの形成または突起の形成である。
【００１３】
この構成によれば、塗装、切り欠きまたは突起によって、内視鏡の観察方向を把握することができる。
【００１４】
本発明の第４の態様に係るポンプは、第３の態様に係るポンプであって、前記加工が塗装であり、当該塗装の色あるいは模様、当該塗装によって描かれる図形の配置、当該塗装によって描かれる文字あるいは図形によって前記観察位置を識別できるように塗装が施されている。
【００１５】
この構成によれば、塗装の色あるいは模様、当該塗装によって描かれる図形の配置、当該塗装によって描かれた文字あるいは図形によって、内視鏡の観察方向を把握することができる。
【００１６】
本発明の第５の態様に係るポンプは、第３または４の態様に係るポンプであって、前記加工が塗装であり、当該塗装の材料はエポキシ樹脂を含む。
【００１７】
この構成によれば、塗装がしっかりと定着するため、ポンプが汲み上げる液体の流れによって塗装が剥げるのを抑制することができる。
【００１８】
本発明の第６の態様に係るポンプの観察方法は、揚水管の内面及び／または回転体の表面に、観察位置を識別するための加工が施されているポンプの観察方法であって、内視鏡を前記ポンプの内部に挿入する工程と、前記内視鏡で前記揚水管の内面及び／または回転体の表面を撮像する工程と、撮像によって得られた画像から当該内視鏡の観察位置を特定する工程と、を有する。
【００１９】
この構成によれば、観察位置を識別するための加工を内視鏡で観察することによって、内視鏡の観察位置を特定することができるので、内視鏡の観察位置の把握の正確性を向上させることができる。
【発明の効果】
【００２０】
本発明の一態様によれば、観察位置を識別するための加工を内視鏡で観察することによって、内視鏡の観察位置を特定することができるので、内視鏡の観察位置の把握の正確性を向上させることができる。
【図面の簡単な説明】
【００２１】
【図１】本実施形態によるポンプ１０の概略構成を示す断面図である。
【図２】図１の矢印Ａの方向に見た場合の視野の一部の一例を示す概略矢視図である。
【発明を実施するための形態】
【００２２】
以下、各実施形態について、図面を参照しながら説明する。なお、本明細書に添付する図面においては、図示の理解のしやすさの便宜上、適宜縮尺および縦横の寸法比等を、実物のそれらから変更し誇張してある。
【００２３】
図１は、本実施形態によるポンプ１０の概略構成を示す断面図である。図１に示すように、ポンプ１０は、回転軸１１と回転軸１１に固定された羽根車１２とを含む回転体１３と、回転体１３の周囲を覆う揚水管１４と、を備える。
【００２４】
このうち揚水管１４は、軸方向に延びる筒形状を有しており、回転軸１１は、揚水管１４の内部に回転可能に挿設されている。羽根車１２は、回転軸１１の下端部に同軸状に固定されている。
【００２５】
回転軸１１の上端部には原動機（図示せず）が取り付けられており、原動機から出力される駆動力によって羽根車１２と回転軸１１とが一体に回転される。羽根車１２の回転により揚水管１４内の流体が汲み上げられることで、揚水管１４の下端部の吸込口１４ｂから新たな液体が吸い込まれ、吸い込まれた液体が揚水管１４の上端部の吐出口１４ａから吐き出される。
【００２６】
図１に示すように、揚水管１４には、ハンドホール１５が形成されている。ハンドホール１５から内視鏡（例えば工業用内視鏡）を挿入することにより、これまで分解整備でしか確認できなかったポンプ１０内部の目視確認が可能となる。
【００２７】
揚水管１４の内面の少なくとも一部に、観察位置を識別するための加工（本実施形態では一例として塗装）が施されている。すなわち、当該加工は内視鏡による観察によって当該加工された場所の位置を識別するためのものである。この加工は、揚水管１４の長軸方向の位置に応じて異なっている。図２は、図１の矢印Ａの方向に見た場合の視野の一部の一例を示す概略矢視図である。図２の例では、揚水管１４の内面の領域Ｒ１〜Ｒ７は、互いに異なる色で塗装されている。このように本実施形態では、観察位置を識別するための加工の一例として、揚水管１４の内面は、揚水管１４の長軸方向に所定の間隔毎に異なる色が塗装されている。これにより、内視鏡によって揚水管１４の内面を観察することによって、揚水管１４の長軸方向における内視鏡の撮影位置を把握することができる。
【００２８】
ここでは一例として、領域Ｒ１〜Ｒ７が順に赤、橙、黄、緑、青、藍、紫の７色のグラデーションで色分けされている。なお、白〜黒のグラデーション、またはグラデーションでない配色で色分けされていてもよい。
【００２９】
また、揚水管１４の長軸方向だけでなく、揚水管１４の周方向にも色分けされていてもよい。このように、加工（ここでは一例として塗装）は、揚水管１４の周方向に応じて異なっていてもよい。これにより、内視鏡によって揚水管１４の内面を観察することによって、揚水管１４の周方向における内視鏡の観察位置を把握することができる。
【００３０】
ここで、塗装の材料は例えばエポキシ樹脂を含むものである。これにより、塗装が揚水管１４の内面にしっかりと定着するため、ポンプが汲み上げる液体の流れによって塗装が剥げるのを抑制することができる。
【００３１】
以上、第１の実施形態に係るポンプ１０は、回転軸１１と回転軸１１に固定された羽根車１２とを含む回転体１３と、回転体１３の周囲を覆う揚水管１４と、を備える。揚水管１４の内面の少なくとも一部に、当該観察位置を識別するための加工（本実施形態では一例として塗装）が施されている。
【００３２】
この構成により、観察位置を識別するための加工を内視鏡で観察することによって、内視鏡の観察位置を特定することができるので、内視鏡の観察位置の把握の正確性を向上させることができる。
【００３３】
なお、本実施形態では、当該塗装の色によって観察位置を識別できるように塗装が施されているが、これに限ったものではなく、塗装の模様（パターンともいう）、塗装によって描かれた図形の配置（例えば１本線、２本線などの配置）、塗装によって描かれた文字あるいは図形（例えば、深さ３ｍを表す文字あるいは図形）によって観察位置を識別できるように塗装が施されていてもよい。ここで、塗装の模様（パターン）は、斜線、横線、縦線などの縞模様あるいはドットなどの模様を含む。図形の配置で位置を特定する場合は例えば、周方向の基準角度の位置で１本線、基準角度から左回りに９０度回転した角度に２本線、基準角度から左回りに１８０度回転した角度に３本線、基準角度から左回りに２７０度回転した角度に４本線というように、周方向の角度に応じて塗装によって描かれる図形を変更してもよい。
【００３４】
また、本実施形態では、観察位置を識別するための加工の一例として塗装を説明したが、これに限ったものではなく、切り欠きの形成または突起の形成であってもよい。
【００３５】
また、本実施形態では、揚水管１４の内面の一部に、観察位置を識別するための加工を施したが、これに限ったものではなく、回転体１３（例えば、回転軸１１または羽根車１２）の表面の少なくとも一部が、当該観察位置を識別するための加工が施されていてもよい。
【００３６】
また、本実施形態に係るポンプ１０が上記のように構成されていることにより、本実施形態に係るポンプ１０の観察方法は、以下の工程を有する。ポンプ１０の観察方法は、内視鏡をポンプ１０の内部に挿入する工程と、内視鏡で揚水管１４の内面及び／または回転体１３の表面を撮像する工程と、撮像によって得られた画像から当該内視鏡の観察位置を特定する工程とを有する。
【００３７】
この構成により、観察位置を識別するための加工を内視鏡で観察することによって、内視鏡の観察位置を特定することができるので、内視鏡の観察位置の把握の正確性を向上させることができる。
【００３８】
以上、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【符号の説明】
【００３９】
１０    ポンプ
１１    回転軸
１２    羽根車
１３    回転体
１４    揚水管
１４ａ  吐出口
１４ｂ  吸込口
１５    ハンドホール
【図１】
2018138762.tif 000003
【図２】
2018138762.tif 000004